(57)【要約】【課題】装着性に優れている締結調整具を提供する。【解決手段】伸縮性を有する帯体１と、帯体１の厚みＴより厚みｔ１が薄く帯体１の幅Ｈと略同一幅ｈ１を有する第１の生地２の端部の一端２ａが帯体１の一端１ａの端部に接続され第１の生地２の帯体１の一方の面１ｃ側に雄ホック３が配設されている雄ホック部４と、帯体１の厚みＴより厚みｔ２が薄く帯体１の幅Ｈと略同一幅ｈ２を有する第２の生地５の端部の一端５ａが帯体１の他端１ｂの端部に接続され第２の生地５の帯体１の他方の面１ｄ側に雄ホック３に相互に止着される雌ホック６が配設されている雌ホック部７とを備える。【選択図】図１
2008095264.tif 000002
【特許請求の範囲】
【請求項１】
伸縮性を有する帯体と、上記帯体の厚みより厚みが薄く上記帯体の幅と略同一幅または小さい幅を有する第１の生地の端部が上記帯体の一端に接続され上記第１の生地の上記帯体の一方の面側に雄ホックが配設されている雄ホック部と、上記帯体の厚みより厚みが薄く上記帯体の幅と略同一幅または小さい幅を有する第２の生地の端部が上記帯体の他端の端部に接続され上記第２の生地の上記帯体の他方の面側に上記雄ホックに相互に止着される雌ホックが配設されている雌ホック部とを備えたことを特徴とする締結調整具。
【請求項２】
上記雄ホック部が、上記第１の生地上において上記雄ホックが長手方向に所定の間隔を隔てて複数個配設されているか、
上記雌ホック部が、上記第２の生地上において上記雌ホックが長手方向に所定の間隔を隔てて複数個配設されているかのいずれかにて構成されていることを特徴とする請求項１に記載の締結調整具。
【請求項３】
上記帯体がゴム織物にて構成されていることを特徴とする請求項１または請求項２に記載の締結調整具。
【請求項４】
上記ゴム織物は、上記一方の面が平坦にて成り、かつ、上記他方の面に凸部を備えるか、上記他方の面が平坦にて成り、かつ、上記一方の面に凸部を備えるかのいずれかにて構成され、上記凸部は厚み方向に伸縮するように構成されていることを特徴とする請求項３に記載の締結調整具。
【請求項５】
上記雄ホック部の上記雄ホックまたは上記雌ホック部の上記雌ホックに止着かつ回動可能な雌ホックまたは雄ホックが配設された通し棒が、上記雄ホック部の上記雄ホックまたは上記雌ホック部の上記雌ホックに着装して構成されていることを特徴とする請求項１ないし請求項４のいずれかに記載の締結調整具。
【請求項６】
請求項１ないし請求項５のいずれかに記載の上記帯体の上記雄ホック部の上記雄ホックと上記雌ホック部の上記雌ホックとを連結して環状部を形成し、上記環状部の環状内に被締結物が挿通するようにしたことを特徴とする締結調整具。
【請求項７】
上記環状部は上記被締結物が着用する衣類の筒状部に挿入されていることを特徴とする請求項６に記載の締結調整具。
【請求項８】
請求項１ないし請求項７のいずれかに記載の締結調整具を筒状部に挿入する際に使用する通し棒において、上記通し棒は、上記帯体より硬質にてなり、上記筒状部に挿入可能な大きさにてなり、上記雄ホックまたは上記雌ホックに止着かつ回動可能な雌ホックまたは雄ホックが配設されていることを特徴とする通し棒。
【発明の詳細な説明】
【技術分野】
【０００１】
この発明は、装着性に優れている締結調整具に関するものである。
【背景技術】
【０００２】
従来の締結調整具は、例えば、パジャマのズボンのウエスト部分のゴム帯を交換するような場合、長尺のゴム帯を所望の長さに切り、それを通し棒にて通し、ゴム帯の両端を縫いつける、または、結んでいた。
【０００３】
【特許文献１】特開２００４−３６００９３号公報（図１０）
【発明の開示】
【発明が解決しようとする課題】
【０００４】
従来の締結調整具は、ゴム帯の両端を縫いつけまたは結んでいたため、重なり部分の厚みが厚くなり装着性が悪い、また、縫うなどの手間がかかるという問題点があった。
【０００５】
この発明は上記のような課題を解決するためになされたものであり、装着性に優れた締結調整具を提供することを目的とする。
【課題を解決するための手段】
【０００６】
この発明は、伸縮性を有する帯体と、帯体の厚みより厚みが薄く帯体の幅と略同一幅または小さい幅を有する第１の生地の端部が帯体の一端の端部に接続され第１の生地の帯体の一方の面側に雄ホックが配設されている雄ホック部と、帯体の厚みより厚みが薄く帯体の幅と略同一幅または小さい幅を有する第２の生地の端部が帯体の他端の端部に接続され第２の生地の帯体の他方の面側に雄ホックに相互に止着される雌ホックが配設されている雌ホック部とを備えたものである。
【発明の効果】
【０００７】
この発明の締結調整具は、伸縮性を有する帯体と、帯体の厚みより厚みが薄く帯体の幅と略同一幅または小さい幅を有する第１の生地の端部が帯体の一端の端部に接続され第１の生地の帯体の一方の面側に雄ホックが配設されている雄ホック部と、帯体の厚みより厚みが薄く帯体の幅と略同一幅または小さい幅を有する第２の生地の端部が帯体の他端の端部に接続され第２の生地の帯体の他方の面側に雄ホックに相互に止着される雌ホックが配設されている雌ホック部とを備えたので、雄ホックと雌ホックとの止着だけで環状部を作成することが可能となり、かつ、雄ホックと雌ホックとの重なり部分の厚みが薄く装着性に優れている。
【発明を実施するための最良の形態】
【０００８】
実施の形態１．
以下、本願発明の実施の形態について説明する。図１はこの発明の実施の形態１における締結調整具の構成を示す正面図および背面図および平面図、図２は図１に示した締結調整具の両端の詳細を示す拡大平面図、図３は図１に示した締結調整具の締結後の図、図４は図１に示した締結調整具の使用方法を示した図、図５はこの発明の実施の形態１における他の締結調整具の構成を示す正面図および背面図および平面図、図６はこの発明の実施の形態１における他の締結調整具の構成を示す正面図および背面図および平面図、図７は図６に示した締結調整具の両端の詳細を示す拡大平面図、図８はこの発明の実施の形態１における他の締結調整具の構成を示す平面図および平面図の一端の詳細を示す拡大平面図、図９はこの発明の実施の形態１における他の締結調整具の構成を示す平面図および平面図の一端の詳細を示す拡大平面図、図１０はこの発明の実施の形態１における締結調整具の通し棒の構成を示す正面図、図１１はこの発明の実施の形態１における図１０に示した通し棒を止着した他の締結調整具の構成の一端の詳細を示す拡大平面図である。
【０００９】
図１ないし図４において、伸縮性を有する帯体１と、帯体１の厚みＴより厚みｔ１が薄く帯体１の幅Ｈと略同一幅ｈ１を有する第１の生地２の端部の一端２ａが帯体１の一端１ａの端部に接続され第１の生地２の帯体１の一方の面１ｃ側に雄ホック３が配設されている雄ホック部４と、帯体１の厚みＴより厚みｔ２が薄く帯体１の幅Ｈと略同一幅ｈ２を有する第２の生地５の端部の一端５ａが帯体１の他端１ｂの端部に接続され第２の生地５の帯体１の他方の面１ｄ側に雄ホック３に相互に止着される雌ホック６が配設されている雌ホック部７とにて締結調整具１００が構成されている。第１および第２の生地２、５は引っ張り強度の強い、例えばバイヤス生地にて形成される。尚、第１および第２の生地２、５の幅ｈ１、ｈ２は帯体１の幅Ｈと略同一幅にて形成する例を示したが、帯体１の幅Ｈより第１および第２の生地２、５の幅が余り大きくなると重なり部分が大きく成り装着性が低下する。また、帯体１の幅Ｈより第１および第２の生地２、５の幅が小さい幅ならば装着性は低下しないものの、第１および第２の生地２、５の幅は最低限でも雄ホック３または雌ホック６が装着可能な程度の幅は必要となることは言うまでもない。
【００１０】
また、雄ホック３、および雌ホック６は例えばプラスティック製にてなり、具体的には、雄ホック３は図２の右端側に示すように、第１の生地２を表面側からゲンコ３ａが裏面側からホソ３ｂが第１の生地２を挟むように連結されて形成されている。また、雌ホック６は、図２の左端側に示すように、第２の生地５を表面側からバネ６ａが裏面側から頭６ｂが第２の生地５を挟むように連結されて形成されている。これは例えば、”モリト株式会社製”の”プラスティックホック”を利用することが考えられる。これはホック自体の厚みが他のホックに比較して薄く、帯体１の長手方向の引っ張りに対して外れにくい。但し、これは一例であり他のホックであっても良いことは言うまでもない。
【００１１】
そして、締結調整具１００は、図３に示すように、帯体１の雄ホック部４の雄ホック３と雌ホック部７の雌ホック６とを連結して連結部８を形成して環状部９を形成する。そして、環状部９の環状内に被締結物を挿通する。例えば図４に示したように環状部９は、被締結物ここでは人間などが着用する衣類（図においてはズボン１０を例に示している）で、ズボン１０のウエスト部分に形成されているウエストを締結するためのゴムを通すための筒状部１１にゴム穴１２から挿入されている。このように衣類などに使用する場合には、その操作性および装着性の点から帯体１はゴム織物にて構成されることが望ましい。
【００１２】
本願発明においては雄ホックおよび雌ホックを第１および第２の生地を介して帯体に配設している。本来、帯体の両端にそれぞれ雄ホックおよび雌ホックを直接装着することも考えられる。しかしながら、伸縮性を有する帯体は厚みが通常の生地より厚く、その厚みの帯体に対応するホックを装着する場合には制約がある。例えば、厚みの厚い帯体に装着する場合にはホック自体の厚み方向が厚いものしか使用できなかったり、または、帯体の長手方向への引っ張りに対するホックの留まりが弱いものしか使用できなかったりと言う不具合が生じる。このため、伸縮性を有する帯体自体にホックを装着することは、装着性が悪くなるため採用することができなかった。
【００１３】
上記のように構成された実施の形態１によれば、雄ホックと雌ホックとが帯体と重なる位置に配設されず、帯体より厚みの薄い第１および第２の生地に配設されているため、雄ホックと雌ホックとを連結した際に、その連結部の厚みが厚くなることを最小限にとどめることが可能となり、装着性に優れた締結調整具を得ることができる。また、第１および第２の生地の一端および他端を、帯体の一端および他端にそれぞれ挟み込むようにして接続しているため、接続が強固となり丈夫な締結調整具を得ることができる。
【００１４】
また、上記実施の形態１においては、帯体１が一方の面１ｃおよび他方の面１ｄが平らなものにてなる例を示したが、これに限られることはなく、その他の形状でも伸縮性を有するものであれば上記実施の形態１と同様に行うことができ同様の効果を奏することは言うまでもない。その中でも特に、図５に示すように、ゴム織物にてなる帯体１の他方の面１ｄが平坦にてなり、かつ、一方の面１ｃに凸部１３を備え、凸部１３は厚み方向に伸縮するように構成されているものにおいて、他の部分は上記実施の形態１と同様に構成する。ここでは凸部１３は略矩形形状にて長手方向に間隔を隔てて複数個備えている。この帯体１の凸部１３の形状は本願発明者が発明した特許第３５６４４７３号にて示したものを用いたものである。
【００１５】
よって、この凸部１３を備えた帯体１の効果は、上記に示した特許と同様に、帯体１は厚み方向に伸縮する伸縮性部材にてなる凸部１３を備えているため、ズボン１０のウエストの筒状部１１内において、帯体１がその幅方向を折り目として折り曲げたとしても、この伸縮性部材にてなる凸部１３の伸縮による復元力により元の状態に戻り、筒状部１１内において帯体１が折り曲がるという不具合が生じることがほとんどなくなる。またこのように、凸部１３の伸縮による復元力があるため、ズボン１０などの洗濯の際に、帯体１が筒状部１１にて折れ曲がったとしても、元の状態に戻り不具合を生じることがほとんどなくなる。また、凸部１２に弾力性（伸縮性）があるため装着性に優れた締結調整具１００として利用することができる。また、このように帯体１に凸部１３を備えたような場合には、その帯体１の両端が重なると、平坦の帯体と比較すると一層厚みが増すため、この発明によって装着性がより一層向上することとなる。
【００１６】
尚、ここでは凸部１３を略矩形形状にて複数個備える例を示したが、凸部が連続した１つであっても、また、凸部の形状が略矩形状でなく他の形状であっても、その凸部が厚み方向に伸縮を有するものであれば、その伸縮による復元力があるため、上記に示した場合と同様の効果を奏する。また、ここでは帯体１の他方の面１ｄが平坦にてなり、かつ、一方の面１ｃに凸部１３を備える例を示したが、これに限られることはなく、帯体１の一方の面１ｃが平坦にてなり、かつ、他方の面１ｄに凸部を備えるようにしても同様に行うことができ同様の効果を奏することは言うまでもない。また、以下の例においても凸部を採用することが可能であることは言うまでもなくその説明は適宜省略する。
【００１７】
また、上記実施の形態１においては、第１および第２の生地の一端および他端を、帯体の一端および他端にそれぞれ挟み込むようにして接続している例を示したが、これに限られることはなく、図６および図７に示すように、第１の生地２０の一端２０ａを帯体１の一端１ａの端部に接続し、第２の生地５０の一端５０ａを帯体１の他端１ｂの端部に接続し、他の部分は上記実施の形態１と同様に構成する。このように構成すれば、上記実施の形態１と同様に行うことができるのはもちろんのこと、雄ホックと雌ホックとを連結した際に、その連結部の厚みがさらに薄くなり、さらに装着性に優れた締結調整具を得ることができる。
【００１８】
また、上記実施の形態１においては、雄ホック部の雄ホックを、また、雌ホック部の雌ホックをそれぞれ１個ずつ備える例を示したが、例えば、図８に示したように、雄ホック部４が、第１の生地２１上において複数個の雄ホック３、３０が長手方向に所定の間隔を隔てて配設され構成しても良い。但し、第１の生地２１における雄ホック３と雄ホック３０との間は第１の生地２１を縫い合わせている部分を有する。これは後述する雄ホック３０の部分を切断除去する可能性があることによる補強部分である。また、図９に示したように、雄ホック部４が、第１の生地２２上において複数個の雄ホック３、３１が長手方向に所定の間隔を隔てて配設され構成しても良い。上記図８および図９のように構成された締結調整具によれば、雌ホック６に連結する雄ホック３、３０、３１を締結するものに応じて、雌ホック６と雄ホック３との連結を行うか、雌ホック６と雄ホック３０または雄ホック３１との連結を行うかを選択することができる。そして、雌ホック６と雄ホック３０または雄ホック３１との連結を行う場合には、そのままの状態にて使用し、また、雄ホック３と雌ホック６とを連結する場合には、雄ホック３０または雄ホック３１が必要ないため、例えば切断箇所Ａ、または、切断箇所Ｂにて切断することにより余分な部分を排除することができる。このように構成された締結調整具によれば、上記実施の形態１と同様の効果を奏するのはもちろんのこと、連結調整具の長さを調整して用いることが可能となる。
【００１９】
尚、ここでは雄ホックを２個備える例を示したがこれに限られることはなく、３個以上配設して構成しても同様に行うことが可能である。また、ここでは、雄ホックが、第１の生地上において雄ホックが長手方向に所定の間隔を隔てて複数個配設されている例を示したが、これに限られることはなく、雌ホック部が、第２の生地上において雌ホックが長手方向に所定の間隔を隔てて複数個配設されていても上記に示した場合と同様に行うことができ同様の効果を奏することは言うまでもない。また、長さを調整する点のみを考慮に入れれば、雄ホックまたは雌ホックのいずれか少なくとも一方が複数個配設され構成されてよいが、雄ホックまたは雌ホックのいずれも複数個配設して構成する例も考えられることは言うまでもない。
【００２０】
また、上記実施の形態１においては特に示していないが、図１０に示すような、雌ホック部７の雌ホック６に止着かつ回動可能な雄ホック１５が配設された通し棒１４を形成し、図１１に示すように締結調整具１００の雌ホック部７の雌ホック６に着装して構成する。通し棒１４は帯体１より硬質にてなり、例えば、プラスティック、木製などにて構成されている。そして、被締結物が着用する衣類の筒状部、例えば、図４に示したようにズボン１０のゴム穴１２を介して筒状部１１に挿入可能な大きさにて形成されている。そして、図１１のように構成された締結調整具１００は図４に示したように、筒状部１１に帯体１を挿入するために、通し棒１４にてゴム穴１２を介して筒状部１１に挿入していく。そして、筒状部１１を一周して再びゴム穴１２を介して通し棒１４を外部に露出させ、通し棒１４の雄ホック１５を雌ホック６から外し、この雌ホック６と雄ホック部４の雄ホック２とを連結されて使用する。このように構成された締結調整具によれば、上記実施の形態１と同様の効果を奏するのはもちろんのこと、通し棒にて被締結物が着用する衣類の筒状部に帯体を容易に挿入することが可能となる。このことは、通し棒が雌ホックに対して回動可能に形成されていること筒状部内おいて自由に方向を変更することが可能となり挿入しやすさの効果はより一層顕著となる。
【００２１】
尚、ここでは、雌ホック部の雌ホックに止着かつ回動可能な雄ホックが配設された通し棒が、雌ホック部の雌ホックに着装して構成されている例を示したが、これに限られることはなく、雄ホック部の雄ホックに止着かつ回動可能な雌ホックが配設された通し棒が、雄ホック部の雄ホックに着装して構成されていてもいる例を示したが、これに限られることはなく、上記に示した場合と同様に行うことができ同様の効果を奏することは言うまでもない。
【図面の簡単な説明】
【００２２】
【図１】この発明の実施の形態１の締結調整具の構成を示す図である。
【図２】図１に示した締結調整具の両端の詳細を示す拡大平面図である。
【図３】図１に示した締結調整具の締結後の図である。
【図４】図１に示した締結調整具の使用方法を示した図である。
【図５】この発明の実施の形態１における他の締結調整具の構成を示す図である。
【図６】この発明の実施の形態１における他の締結調整具の構成を示す図である。
【図７】図６に示した締結調整具の両端の詳細を示す拡大平面図である。
【図８】この発明の実施の形態１における他の締結調整具の構成を示す図である
【図９】この発明の実施の形態１における他の締結調整具の構成を示す図である。
【図１０】この発明の実施の形態１における締結調整具の通し棒の構成を示す正面図である。
【図１１】この発明の実施の形態１における図１０に示した通し棒を止着した他の締結調整具の構成の一端の詳細を示す拡大平面図である。
【符号の説明】
【００２３】
１  帯体、１ａ  一端、１ｂ  他端、１ｃ  一方の面、１ｄ  他方の面、
２  第１の生地、２ａ  一端、２ｂ  他端、３，３０，３１  雄ホック、
４  雄ホック部、５  第２の生地、５ａ  一端、５ｂ  他端、６  雌ホック、
７  雌ホック部、８  連結部、９  環状部、１０  ズボン、１１  筒状部、
１２  ゴム穴、１３  凸部、１４  通し棒、１５  雄ホック、１００  締結調整部、
Ａ  切断箇所、Ｂ  切断箇所。
【図１】
2008095264.tif 000003
【図２】
2008095264.tif 000004
【図３】
2008095264.tif 000005
【図４】
2008095264.tif 000006
【図５】
2008095264.tif 000007
【図６】
2008095264.tif 000008
【図７】
2008095264.tif 000009
【図８】
2008095264.tif 000010
【図９】
2008095264.tif 000011
【図１０】
2008095264.tif 000012
【図１１】
2008095264.tif 000013
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
伸縮性を有する帯体と、上記帯体の厚みより厚みが薄く上記帯体の幅と略同一幅または小さい幅を有する第１の生地の端部が上記帯体の一端に接続され上記第１の生地の上記帯体の一方の面側に雄ホックが配設されている雄ホック部と、上記帯体の厚みより厚みが薄く上記帯体の幅と略同一幅または小さい幅を有する第２の生地の端部が上記帯体の他端の端部に接続され上記第２の生地の上記帯体の他方の面側に上記雄ホックに相互に止着される雌ホックが配設されている雌ホック部とを備え、
上記帯体がゴム織物にて構成され、
上記ゴム織物は、上記一方の面が平坦にて成り、かつ、上記他方の面に凸部を備えるか、上記他方の面が平坦にて成り、かつ、上記一方の面に凸部を備えるかのいずれかにて構成され、上記凸部は厚み方向に伸縮するように構成されていることを特徴とする締結調整具。
【請求項２】
伸縮性を有する帯体と、上記帯体の厚みより厚みが薄く上記帯体の幅と略同一幅または小さい幅を有する第１の生地の端部が上記帯体の一端に接続され上記第１の生地の上記帯体の一方の面側に雄ホックが配設されている雄ホック部と、上記帯体の厚みより厚みが薄く上記帯体の幅と略同一幅または小さい幅を有する第２の生地の端部が上記帯体の他端の端部に接続され上記第２の生地の上記帯体の他方の面側に上記雄ホックに相互に止着される雌ホックが配設されている雌ホック部とを備え、
上記帯体の上記雄ホック部の上記雄ホックと上記雌ホック部の上記雌ホックとを連結して環状部を形成し、上記環状部の環状内に被締結物が挿通し、
上記環状部は上記被締結物が着用する衣類の筒状部に挿入されていることを特徴とする締結調整具。
【請求項３】
上記帯体がゴム織物にて構成されていることを特徴とする請求項２に記載の締結調整具。
【請求項４】
上記雄ホック部の上記雄ホックまたは上記雌ホック部の上記雌ホックに止着かつ回動可能な雌ホックまたは雄ホックが配設された通し棒が、上記雄ホック部の上記雄ホックまたは上記雌ホック部の上記雌ホックに着装して構成されていることを特徴とする請求項１ないし請求項３のいずれかに記載の締結調整具。
【請求項５】
伸縮性を有する帯体と、上記帯体の厚みより厚みが薄く上記帯体の幅と略同一幅または小さい幅を有する第１の生地の端部が上記帯体の一端に接続され上記第１の生地の上記帯体の一方の面側に雄ホックが配設されている雄ホック部と、上記帯体の厚みより厚みが薄く上記帯体の幅と略同一幅または小さい幅を有する第２の生地の端部が上記帯体の他端の端部に接続され上記第２の生地の上記帯体の他方の面側に上記雄ホックに相互に止着される雌ホックが配設されている雌ホック部とを備え、
上記雄ホック部の上記雄ホックまたは上記雌ホック部の上記雌ホックに止着かつ回動可能な雌ホックまたは雄ホックが配設された通し棒が、上記雄ホック部の上記雄ホックまたは上記雌ホック部の上記雌ホックに着装して構成されていることを特徴とする締結調整具。
【請求項６】
上記帯体がゴム織物にて構成されていることを特徴とする請求項５に記載の締結調整具。
【請求項７】
上記ゴム織物は、上記一方の面が平坦にて成り、かつ、上記他方の面に凸部を備えるか、上記他方の面が平坦にて成り、かつ、上記一方の面に凸部を備えるかのいずれかにて構成され、上記凸部は厚み方向に伸縮するように構成されていることを特徴とする請求項６に記載の締結調整具。
【請求項８】
上記雄ホック部が、上記第１の生地上において上記雄ホックが長手方向に所定の間隔を隔てて複数個配設されているか、
上記雌ホック部が、上記第２の生地上において上記雌ホックが長手方向に所定の間隔を隔てて複数個配設されているかのいずれかにて構成されていることを特徴とする請求項１ないし請求項７のいずれかに記載の締結調整具。
【請求項９】
伸縮性を有する帯体と、上記帯体の厚みより厚みが薄く上記帯体の幅と略同一幅または小さい幅を有する第１の生地の端部が上記帯体の一端に接続され上記第１の生地の上記帯体の一方の面側に雄ホックが配設されている雄ホック部と、上記帯体の厚みより厚みが薄く上記帯体の幅と略同一幅または小さい幅を有する第２の生地の端部が上記帯体の他端の端部に接続され上記第２の生地の上記帯体の他方の面側に上記雄ホックに相互に止着される雌ホックが配設されている雌ホック部とを備えた締結調整具を筒状部に挿入する際に使用する通し棒において、上記通し棒は、上記帯体より硬質にてなり、上記筒状部に挿入可能な大きさにてなり、上記雄ホックまたは上記雌ホックに止着かつ回動可能な雌ホックまたは雄ホックが配設されていることを特徴とする通し棒。
【請求項１０】
請求項１ないし請求項８のいずれかに記載の締結調整具を筒状部に挿入する際に使用する通し棒において、上記通し棒は、上記帯体より硬質にてなり、上記筒状部に挿入可能な大きさにてなり、上記雄ホックまたは上記雌ホックに止着かつ回動可能な雌ホックまたは雄ホックが配設されていることを特徴とする通し棒。
【手続補正２】
【補正対象書類名】明細書
【補正対象項目名】０００６
【補正方法】変更
【補正の内容】
【０００６】
この発明は、伸縮性を有する帯体と、帯体の厚みより厚みが薄く帯体の幅と略同一幅または小さい幅を有する第１の生地の端部が帯体の一端の端部に接続され第１の生地の帯体の一方の面側に雄ホックが配設されている雄ホック部と、帯体の厚みより厚みが薄く帯体の幅と略同一幅または小さい幅を有する第２の生地の端部が帯体の他端の端部に接続され第２の生地の帯体の他方の面側に雄ホックに相互に止着される雌ホックが配設されている雌ホック部とを備え、
帯体がゴム織物にて構成され、
ゴム織物は、一方の面が平坦にて成り、かつ、他方の面に凸部を備えるか、他方の面が平坦にて成り、かつ、一方の面に凸部を備えるかのいずれかにて構成され、凸部は厚み方向に伸縮するように構成されているものである。
【手続補正３】
【補正対象書類名】明細書
【補正対象項目名】０００７
【補正方法】変更
【補正の内容】
【０００７】
この発明の締結調整具は、伸縮性を有する帯体と、帯体の厚みより厚みが薄く帯体の幅と略同一幅または小さい幅を有する第１の生地の端部が帯体の一端の端部に接続され第１の生地の帯体の一方の面側に雄ホックが配設されている雄ホック部と、帯体の厚みより厚みが薄く帯体の幅と略同一幅または小さい幅を有する第２の生地の端部が帯体の他端の端部に接続され第２の生地の帯体の他方の面側に雄ホックに相互に止着される雌ホックが配設されている雌ホック部とを備え、
帯体がゴム織物にて構成され、
ゴム織物は、一方の面が平坦にて成り、かつ、他方の面に凸部を備えるか、他方の面が平坦にて成り、かつ、一方の面に凸部を備えるかのいずれかにて構成され、凸部は厚み方向に伸縮するように構成されているので、
雄ホックと雌ホックとの止着だけで環状部を作成することが可能となり、かつ、雄ホックと雌ホックとの重なり部分の厚みが薄く装着性に優れている。